(57)【要約】【課題】防水機能及び防炎機能を兼ね備えた畳を製造する方法を提供すること。【解決手段】  開口部の一辺の長さが５ｍｍ以上のプラスチックダンボール２の上面に、防炎フィルム５を接着する防炎フィルム接着工程と、防炎フィルム５の上面に、フィルム状熱接着剤９を用いて熱プレスにより防炎防水畳表６を接着する防炎防水畳表接着工程と、防炎防水畳表６を折り込んだ状態で、プラスチックダンボール２の下面に底面材８を接着する底面材接着工程とを有する防炎防水畳の製造方法である。【選択図】図２
2017206838.tif 000002
【特許請求の範囲】
【請求項１】
開口部の一辺の長さが５ｍｍ以上のプラスチックダンボールの上面に、防炎フィルムを接着する防炎フィルム接着工程と、
防炎フィルムの上面に、フィルム状熱接着剤を用いて熱プレスにより防炎防水畳表を接着する防炎防水畳表接着工程と、
前記防炎防水畳表を折り込んだ状態で、前記プラスチックダンボールの下面に底面材を接着する底面材接着工程と、
を有することを特徴とする防炎防水畳の製造方法。
【請求項２】
防炎フィルム接着工程及び防炎防水畳表接着工程が、プラスチックダンボールの上面に、フィルム状熱接着剤、防炎フィルム及びフィルム状熱接着剤の順に積層した積層体を介して、防炎防水畳表を熱プレスにより接着する一体工程からなることを特徴とする請求項１記載の防炎防水畳の製造方法。
【請求項３】
プラスチックダンボールの上面に、クッション材を接着するクッション材接着工程を有することを特徴とする請求項１又は２記載の防炎防水畳の製造方法。
【請求項４】
防炎防水畳が、置き畳であることを特徴とする請求項１〜３のいずれか記載の防炎防水畳の製造方法。
【請求項５】
プラスチックダンボールの下面に、断熱材を接着する断熱材接着工程を有することを特徴とする請求項１〜３のいずれか記載の防炎防水畳の製造方法。
【請求項６】
防炎防水畳が、敷詰畳であることを特徴とする請求項５記載の防炎防水畳の製造方法。
【請求項７】
開口部の一辺の長さが５ｍｍ以上のプラスチックダンボールと、
該プラスチックダンボールの上面に接着された防炎フィルムと、
該防炎フィルムの上面に接着された防炎防水畳表と、
該防炎防水畳表を折り込んだ状態で底面に接着された底面材と
を備えることを特徴とする防炎防水畳。
【請求項８】
プラスチックダンボールの上面に、クッション材が接着されたことを特徴とする請求項７記載の防炎防水畳。
【請求項９】
置き畳であることを特徴とする請求項７又は８記載の防炎防水畳。
【請求項１０】
プラスチックダンボールの下面に接着された断熱材を備えることを特徴とする請求項７又は８記載の防炎防水畳。
【請求項１１】
敷詰畳であることを特徴とする請求項１０記載の防炎防水畳。
【請求項１２】
防炎フィルムと防炎防水畳表との間に実質的に空気層のない均一な接着層を有することを特徴とする請求項７〜１１のいずれか記載の防炎防水畳。
【発明の詳細な説明】
【技術分野】
【０００１】
本発明は、防炎機能及び防水機能を兼ね備えた畳の製造方法に関する。
【背景技術】
【０００２】
畳は、日本で親しまれている伝統的な床材であるが、時代の変化に応じて、様々な機能を付加することが試みられている。
【０００３】
例えば、防水機能を有するものとして、合成樹脂繊維よりなる畳表と、該畳表の裏面に熱溶着された独立気泡を有する合成樹脂発泡シートと、磁気テープの廃材を原料とした多孔性の磁気パネルとを順次積層し、一体的に固定した防水畳（特許文献１参照）や、畳床の少なくとも上面と側面の一部を防水シートにより被覆するようにした畳であって、この防水シート上面に畳表をそれらの間に通水間隙を設けるように、また畳表と畳床との縫着部分の１〜３ｍｍの排水口及び／又は畳表と畳床との開放部分の下部排水口を設けるように、畳側面から下面にかけて畳表及び畳床内を通して縫着した水洗い可能な防水畳（特許文献２参照）や、畳の芯材を被覆又は積層する樹脂製畳表及び／又はビニルシートの少なくとも一面に銀ナノ粒子を含む皮膜を担持させた水洗い可能な防水畳（特許文献３参照）が提案されている。
【０００４】
他方、防炎機能を有するものとして、ポリウレタン成形用の金型装置の上金型及び下金型により作製される成形品に畳模様を形成するための溝が形成されたキャビティ形成面に防炎剤が添加された塗料を塗布し、型閉めすることにより前記キャビティ内に熱硬化性の高反発性を有する液状の防炎剤が添加されたポリウレタン原料を注入して発泡硬化させて前記塗料により塗膜が形成された高反発性のポリウレタン層を成形する防炎畳の製造方法（特許文献４参照）や、畳表及び畳床の畳表側部分に防炎加工を施した防炎畳（特許文献５参照）が提案されている。
【先行技術文献】
【特許文献】
【０００５】
【特許文献１】特開２００３−２９３５６４号公報
【特許文献２】特許４９９７６５７号公報
【特許文献３】特開２０１５−４８７０４号公報
【特許文献４】特開２０１５−０４０４２６号公報
【特許文献５】実開平１−１７７３３９号公報
【発明の概要】
【発明が解決しようとする課題】
【０００６】
しかしながら、これまで防水機能及び防炎機能の両者を十分に満足する畳は提案されておらず、防水機能及び防炎機能を兼ね備えた畳が望まれていた。
本発明は、このような事情に鑑みなされたものであり、本発明の課題は、防水機能及び防炎機能を十分に兼ね備えた畳を製造する方法を提供することにある。
【課題を解決するための手段】
【０００７】
本発明者らは、上記両機能を十分に兼ね備えた畳の製造を実現させるべく鋭意検討した結果、畳材として通常用いられない開口の大きなプラスチックダンボールを基材として用いると共に、かかるプラスチックダンボールの上面に、防炎フィルムを配置し、畳の製造では通常用いられない熱プレスにより、フィルム状熱接着剤で防炎フィルム及び防炎防水畳表を接着することによって、防水機能及び防炎機能の両者を十分に満足する畳を製造することができることを見いだし、本発明を完成するに至った。
【０００８】
具体的に、本発明者らは、畳材としては通常用いられない防水性と防炎性を備えた開口の大きなプラスチックダンボールを使用することに思い至り、このプラスチックダンボールに防炎防水畳表を接着剤にて接着し、自社にて防水性能試験及び防炎性能試験を行った。防水性能試験については比較的容易にクリアすることができたが、防炎性能試験では、プラスチックダンボールまで燃えてしまい、約６５％は失敗する結果となった。
【０００９】
そこで、本発明者らは、さらに検討し、新たに防炎フィルムを採用した。その結果、燃え広がりを抑えることはできたが、これでも十分な防炎効果を得ることはできなかった。そこで、さらにこの要因を突き止めるべく検討したところ、畳表と防炎フィルムとの間に空気層ができ、この空気層が燃え広がりの要因となっていることを突き止めた。さらに、この畳表と防炎フィルムとの間の空気層を排除すべく、接着剤をスプレー塗布して畳表と防炎フィルムを接着したが、手作業による塗布はムラが多く、一部の空気層や余分な接着剤が燃焼の一因となり、これによっても必ずしも十分な防炎効果を得ることができない場合があることを知見した。
【００１０】
これらの問題を改善すべく、本発明者らは、防炎防水畳表及び防炎フィルムの接着を、フィルム状熱接着剤を用いた熱プレスで行うことにより、燃え広がりの原因となる空気層を排除し、少量の接着剤で均一に接着することで、防炎性の十分に担保された畳を確実に製造できることを見いだした。さらに、このフィルム状熱接着剤を用いた熱プレスによる接着は、熱プレス機を用いて、畳全体を均一に接着することができるため、防水性能も向上させることができることを見いだした。
【００１１】
すなわち、本発明は、開口部の一辺の長さが５ｍｍ以上のプラスチックダンボールの上面に、防炎フィルムを接着する防炎フィルム接着工程と、防炎フィルムの上面に、フィルム状熱接着剤を用いて熱プレスにより防炎防水畳表を接着する防炎防水畳表接着工程と、前記防炎防水畳表を折り込んだ状態で、前記プラスチックダンボールの下面に底面材を接着する底面材接着工程とを有する防炎防水畳の製造方法に関する。
【００１２】
本発明の防炎防水畳の製造方法においては、防炎フィルム接着工程及び防炎防水畳表接着工程が、プラスチックダンボールの上面に、フィルム状熱接着剤、防炎フィルム及びフィルム状熱接着剤の順に積層した積層体を介して、防炎防水畳表を熱プレスにより接着する一体工程からなることが好ましい。
【００１３】
また、本発明は、開口部の一辺の長さが５ｍｍ以上のプラスチックダンボールと、該プラスチックダンボールの上面に接着された防炎フィルムと、該防炎フィルムの上面に接着された防炎防水畳表と、該防炎防水畳表を折り込んだ状態で底面に接着された底面材とを備える防炎防水畳に関する。
【００１４】
本発明の防炎防水畳においては、防炎フィルムと防炎防水畳表との間に実質的に空気層のない均一な接着層を有することが好ましい。
【発明の効果】
【００１５】
本発明の防炎防水畳の製造方法によれば、防水機能及び防炎機能を十分に兼ね備えた敷詰畳用又は置き畳用の防炎防水畳を製造することができる。
【図面の簡単な説明】
【００１６】
【図１】本発明の第１の実施形態に係る防炎防水畳（敷詰畳）の概略構成図である。
【図２】本発明の第１の実施形態に係る防炎防水畳の製造方法のフローを示す図である。
【図３】本発明の第２の実施形態に係る防炎防水畳（置き畳）の概略構成図である。
【図４】畳表及び防炎フィルムをフィルム状熱接着剤を用いて接着した場合（右）と、畳表及び防炎フィルムを接着せず、畳表及び防炎フィルムの間に空気層を有する場合（左）との防炎効果の比較写真である。
【発明を実施するための形態】
【００１７】
本発明の防炎防水畳の製造方法としては、開口部の一辺の長さが５ｍｍ以上のプラスチックダンボールの上面に、防炎フィルムを接着する防炎フィルム接着工程と、防炎フィルムの上面に、フィルム状熱接着剤を用いて熱プレスにより防炎防水畳表を接着する防炎防水畳表接着工程と、前記防炎防水畳表を折り込んだ状態で、前記プラスチックダンボールの下面に底面材を接着する底面材接着工程とを有する方法であれば特に制限されるものではなく、さらに、プラスチックダンボールの上面に、クッション材を接着するクッション材接着工程を有することが好ましい。
【００１８】
また、本発明の防炎防水畳の製造方法は、さらに、プラスチックダンボールの下面に、断熱材を接着する断熱材接着工程を有していてもよい。本発明の防炎防水畳の製造方法により製造される防炎防水畳は、敷詰畳や、置き畳として用いることができるが、断熱材を接着材したものは、敷詰畳として好適に用いることができる。
【００１９】
なお、本発明の製造方法において、上面／下面に接着するとは、上面／下面に直接接着する場合のみならず、適当な材料を介して間接的に接着する場合も含む。
【００２０】
また、本発明の防炎防水畳の防炎とは、一般的な畳より燃えにくい性質を有することをいい、好ましくは、消防法施行令第４条の３の基準に適合するものをいう。また、防水とは、一般的な畳より水に対する撥水性や速乾性を有するものをいい、好ましくは畳の一部又は全部を繰り返し水洗いできるもの（躯体が変形しないもの）をいう。
【００２１】
（防炎フィルム接着工程）
本発明の防炎フィルム接着工程は、プラスチックダンボールの上面に、防炎フィルムを接着する工程であり、好ましくはクッション材を介して接着される。本工程は、防炎防水畳表接着工程の前後に行うことができるが、後述するように防炎防水畳接着工程と同時に行うことが好ましい。
【００２２】
本発明の製造方法において用いられるプラスチックダンボールとしては、畳材としてまれに用いられる例えば開口の一辺の長さが３ｍｍといった小さな開口のプラスチックダンボールではなく、畳材としては通常用いられない開口の一辺の長さが５ｍｍ以上のものを使用し、防水性の観点から、好ましくは一辺の長さが７ｍｍ以上のものが好ましく、９ｍｍ以上のものがより好ましく、１０ｍｍ以上のものがさらに好ましい。ここで、開口部の一辺の長さとは、開口が正方形の場合は、文字通り一辺の長さを意味するが、円形の場合は直径を意味し、長方形等一辺の長さが異なる場合は短辺の長さを意味する。
【００２３】
かかるプラスチックダンボールとしては、畳として必要な耐久性を有し、上記開口大きさを有するものであれば特に制限されるものではなく、例えば、ポリスチレン、ポリプロピレン等からなるものであり、具体的には、東洋ユニコン株式会社製の「ダンプラ・エース」、宇部エクシモ株式会社製の「ダンプレート」、川上産業株式会社製の「プラパール」等を挙げることができる。
【００２４】
防炎フィルムとしては、消防法施行令第４条の３の基準に適合するものや、防炎３級（ＪＩＳ  Ａ−１３２２）以上の性能を有するフィルムを挙げることができ、防炎２級以上のものが好ましい。かかる防炎フィルムとしては、ポリ塩化ビニル等からなるものが挙げられ、具体的には、アキレス株式会社製の「アキレスフラーレ」や、ダイヤプラスフィルム株式会社製の「アルトロン」等を挙げることができる。この防炎フィルムは、防炎効果と同時に、畳の内部への水の浸透を抑制する防水効果を有する。
【００２５】
プラスチックダンボール（プラスチックダンボール上にクッション材等を配置する場合は、クッション材等の上面）と防炎フィルムの接着方法は特に制限されるものではなく、通常用いられる接着剤を用いて接着することができるが、仕上がりや防炎防水効果の点から、後述するフィルム状熱接着剤を用いることが好ましい。
【００２６】
（防炎防水畳表接着工程）
本発明の防炎防水畳表接着工程は、防炎フィルムの上面に、フィルム状熱接着剤を用いて熱プレスにより防炎防水畳表を接着する工程であり、好ましくは防炎フィルムと畳表を直接接着する。本工程は、防炎フィルム工程の前後に行ってもよいが、同時に行うことが好ましい。すなわち、プラスチックダンボール（プラスチックダンボール上にクッション材等を配置する場合は、クッション材等の上面）の上面に、フィルム状熱接着剤、防炎フィルム及びフィルム状熱接着剤の順に積層した積層体を介して、防炎防水畳表を熱プレスにより接着することが好ましい。これにより、効率的かつより防炎防水効果の向上した製品を製造することができる。
【００２７】
フィルム状熱接着剤としては、熱プレスにより接着（溶融）可能なフィルム状の接着剤であれば特に制限されるものではなく、アクリル系、エチレン酢酸ビニル共重合体系、ポリオレフィン系、ポリアミド系等種々の接着剤を用いることができる。接着剤の融点としては、熱プレスにより十分に溶融する程度の温度のものが好ましく、例えば、１００℃以下のものが好ましく、９０℃以下のものがより好ましい。フィルム状の接着剤を用いることにより、燃え広がりの原因となる畳表と防炎フィルムとの間の空気層を排除し、防炎性の十分に担保された畳を製造することができる。また、燃焼の一因となることのある接着剤自体の量を少量に抑えることができることから、これによっても、防炎性を向上させることができる。さらに、畳表面の仕上がりも向上する。
【００２８】
防炎防水畳表としては、例えば、防炎樹脂で加工された畳表を挙げることができ、防炎加工された市販の防炎畳表を使用することができる。防炎畳表は、通常樹脂で加工されたものであることから、防炎性と同時に防水性を備えている。
【００２９】
本発明の防炎防水畳表接着工程における熱プレスの温度としては、１００〜１５０℃程度であることが好ましく、１１０〜１３０℃程度であることが好ましい。プレス時間としては、３０〜１８０秒程度であることが好ましく、３０〜１２０秒程度であることが好ましい。
【００３０】
本発明の底面材接着工程は、前記防炎防水畳表接着工程後に、防炎防水畳表を折り込んだ状態で、プラスチックダンボールの下面（断熱材等を配置する場合は、断熱材等の下面）に底面材を接着する工程である。底面材としては、滑り止めの機能を有する材料であることが好ましく、例えば、通常の畳の製造に用いられるポリエチレンシート等を用いることができる。
【００３１】
ここで、底面材を接着する前に畳表をプラスチックダンボールの下面（断熱材等を配置する場合は、断熱材等の下面）に接着しておくことが好ましく、この場合、プラスチックダンボールの開口が接着剤で塞がれないようにすることが好ましい。すなわち、プラスチックダンボールの開口部を養生テープ等のシート部材で覆い、その状態で畳表裏面やプラスチックダンボールの下面に接着剤を塗布し、その後、シート部材を除去して畳表をプラスチックダンボールの下面に接着することが好ましい。これにより、開口部が塞がれることなく広い開口を維持でき、プラスチックダンボールの水捌け能を十分に発揮させることができる。
【００３２】
本発明の製造方法において、好ましく設けられるクッション材接着工程は、プラスチックダンボールの上面に、クッション材を接着する工程であり、防炎フィルム接着工程の前に行われる。これにより、畳に適度な弾力性を持たせることができ、使用感が向上する。
【００３３】
クッション材としては、クッション性を有するものであれば特に制限されるものではなく、例えば、ポリオレフィン発泡体（例えばポリエチレンフォーム）等の合成樹脂発泡体を挙げることができ、具体的には、東レ株式会社の「トーレペフ（登録商標）」を用いることができる。クッション材の厚さとしては、１〜１０ｍｍ程度であり、１〜５ｍｍ程度であることが好ましい。このプラスチックダンボールとクッション材の接着は、ゴム系接着剤を用いて行われることが好ましく、例えば、スチレンブタジエンゴム系接着剤、ニトリルゴム系接着剤、クロロプレン系接着剤、シリコーンゴム系接着剤を挙げることができる。この接着剤は、例えばスプレーガンを用いて対象物に付与することができる。ゴム系接着剤を用いることにより、接着と同時に、畳にクッション性を付与することができる。
【００３４】
本発明の断熱材接着工程は、プラスチックダンボールと断熱材を接着する工程であり、両者を直接接着することが好ましい。断熱材を設けることにより、敷詰畳としてより有用なものとなる。
断熱材としては、所定の厚さを有し、かつ断熱性を有するものであれば特に制限されるものではなく、厚さとしては、例えば、２０ｍｍ以上であり、３０ｍｍ以上であることが好ましい。材質としては、例えば、ポリスチレンフォーム等の合成樹脂発泡体を挙げることができる。合成樹脂発泡体は、吸水性がほとんどなく、水が浸入してきても躯体の性能が落ちないので特に好ましい。
【００３５】
このプラスチックダンボールの下面と断熱材の接着は、クッション材接着工程と同様、ゴム系接着剤を用いることが好ましく、スプレーガンを用いて付与することができる。
【００３６】
なお、本発明の製造方法においては、プラスチックダンボールの下面（断熱材等を配置する場合は、断熱材等の下面）に、クッション材を接着する第２クッション材接着工程を有していてもよい。詳細は、上述したクッション材接着工程と同様であるが、クッション材の形状は、折り込まれる畳表の存在しない部分に対応した形状であることが好ましい。
【００３７】
上記説明した本発明の製造方法により製造可能な本発明の防炎防水畳としては、開口部の一辺の長さが５ｍｍ以上のプラスチックダンボールと、該プラスチックダンボールの上面に接着された防炎フィルムと、該防炎フィルムの上面に接着された防炎防水畳表と、該防炎防水畳表を折り込んだ状態で底面に接着された底面材とを備えたことを特徴とし、プラスチックダンボールの下面に接着された断熱材を備えていてもよい。プラスチックダンボールの上面又は下面（断熱材等を配置する場合は、断熱材等の下面）に、クッション材が接着されていることが好ましい。
【００３８】
また、本発明の防炎防水畳においては、防炎フィルムの上面に、フィルム状熱接着剤を用いて熱プレスにより防炎防水畳表が接着されるので、防炎フィルムと防炎防水畳の間には、実質的に空気層のない均一な接着層が形成され、これにより、十分な防炎効果が発揮される。
【００３９】
本発明の防炎防水畳は、敷詰畳や、置き畳として用いることができるが、断熱材を接着材したものは、敷詰畳として好適に用いることができる。本発明の防炎防水畳の大きさは特に制限されるものではなく、例えば半畳や一畳分の大きさとすることができる。なお、本発明の防炎防水畳において、上面／下面に接着したとは、上面／下面に直接接着した場合のみならず、適当な材料を介して間接的に接着した場合も含む。
【００４０】
以下、本発明の防炎防水畳について、図面を用いて詳細に説明するが、本発明の範囲は本実施形態に制限されるものではない。図１は、本発明の第１の実施形態に係る防炎防水畳（敷詰用）の概略構成図であり、図２は、本発明の第１の実施形態に係る防炎防水畳の製造方法のフローを示す図であり、図３は、本発明の第２の実施形態に係る防炎防水畳（置き畳）の概略構成図である。
【００４１】
図１に示すように、本発明の第１の実施形態に係る防炎防水畳１は、プラスチックダンボール２（厚さ約１１ｍｍ）と、プラスチックダンボール２の下面に接着された断熱材としてのポリスチレンフォーム３（厚さ約３３ｍｍ）と、プラスチックダンボール２の上面に接着されたクッション材としてのポリエチレンフォーム４（厚さ約３ｍｍ）と、ポリエチレンフォーム４の上面に接着された防炎フィルム５と、防炎フィルム５の上面に接着された防炎防水畳表６と、ポリスチレンフォーム３の下面に接着されたクッション材としてのポリエチレンフォーム７（厚さ約３ｍｍ）と、防炎防水畳表６を折り込んだ状態で底面に接着された底面材としてのポリエチレンシート８とを備えている。全体の厚さとしては、５５ｍｍ程度である。
【００４２】
各部材は、接着剤で接着されているが、特にポリエチレンフォーム４及び防炎防水畳表６は、フィルム状熱接着剤９、防炎フィルム５及びフィルム状熱接着剤９の順に積層した積層体を介して、熱プレスにより接着を行い、防炎防水機能を十分に担保できるようにした。なお、プラスチックダンボール２としては、宇部エクシモ株式会社製の「ダンプレート（開口１０ｍｍ）」を用い、防炎フィルム５としては、アキレス株式会社製の「アキレスフラーレ」を用い、防炎防水畳表６としては、ＳＥＫＩＳＵＩ社製の「セキスイ美草（防炎ござ）」を用いた。
【００４３】
このような本発明の第１の実施形態に係る防炎防水畳の製造方法を以下説明する。
図２及び図３に示すように、まず、プラスチックダンボール２の下面に、ポリスチレンフォーム３をゴム系接着剤１０を用いて接着した（断熱材接着工程：Ｓ１）。次に、プラスチックダンボール２の上面及びポリスチレンフォーム３の下面に、ポリエチレンフォーム４，７をゴム系接着剤１０を用いて接着した（クッション材接着工程：Ｓ２）。続いて、フィルム状熱接着剤９、防炎フィルム５及びフィルム状熱接着剤９の順に積層した積層体を介して、防炎防水畳表６とポリエチレンフォーム４を熱プレスにより接着した（防炎フィルム接着工程，防炎防水畳表接着工程：Ｓ３）。熱プレスの温度は１２０℃程度であり、プレス時間は６０秒程度とした。なお、フィルム状熱接着剤としては、アクリル系ホットメルト接着剤（ＥＶＡ６０％，水添石油脂２０％，アクリル１５％，その他５％）を用いた。
【００４４】
次に、プラスチックダンボール２の開口部が接着剤で塞がれないように、開口部を養生テープで覆い、その状態で畳表裏面にポリオレフィン樹脂系接着剤１１を塗布し、その後、養生テープを除去して防炎防水畳表６をポリスチレンフォーム３の下面に接着した。さらに、接着層を有するポリエチレンシート８を底面に貼付した（底面材接着工程：Ｓ４）。以上の工程により、本発明の一実施形態に係る防炎防水畳１を製造した。
【００４５】
また、本発明の第２の実施形態に係る防炎防水畳２０は、プラスチックダンボール２と、プラスチックダンボール２の上面に接着されたクッション材としてのポリエチレンフォーム４と、ポリエチレンフォーム４の上面に接着された防炎フィルム５と、防炎フィルム５の上面に接着された防炎防水畳表６と、プラスチックダンボール２の下面に接着されたクッション材としてのポリエチレンフォーム７と、防炎防水畳表６を折り込んだ状態で底面に接着された底面材としてのポリエチレンシート８とを備えている。全体の厚さとしては、２２ｍｍ程度である。すなわち、断熱材としてのポリスチレンフォームを備えていないこと以外は、第１の実施形態のものと同様であり、その製造方法も同様である。
【００４６】
本発明の第２の実施形態に係る防炎防水畳を用いて、防水防炎機能を評価した。
防炎機能の評価としては、公益財団法人 日本防炎協会において、性能確認を行った。その結果、消防法施行令第４条の３の基準に合格しているとの結果が得られた。
他方、防炎フィルムを用いないものは、その多くがプラスチックダンボールまで燃えてしまった。また、防炎フィルムを用いたものでも、防炎フィルムと防炎防水畳表が密着しておらず、空気層を有するものは、十分な防炎効果が得られなかった（図４左参照）。
【００４７】
防水機能の評価としては、本発明の第２の実施形態に係る防炎防水畳の水洗いを１０回繰り返し行ったが、速乾性に優れ、繰り返し使用できるものであることを確認した。
なお、防炎フィルムを用いないものについては、水洗い後の乾燥に長時間を要した。
【産業上の利用可能性】
【００４８】
本発明の防炎防水畳は、十分な防水機能及び防炎機能を兼ね備えており、産業上の利用価値は高い。
【符号の説明】
【００４９】
１    防炎防水畳
２    プラスチックダンボール
３    ポリスチレンフォーム（断熱材）
４    ポリエチレンフォーム（クッション材）
５    防炎フィルム
６    防炎防水畳表
７    ポリエチレンフォーム（クッション材）
８    ポリエチレンシート（底面材（滑止材））
９    フィルム状熱接着剤
１０    ゴム系接着剤
１１    ポリオレフィン樹脂系接着剤
２０    防炎防水畳
【図１】
2017206838.tif 000003
【図２】
2017206838.tif 000004
【図３】
2017206838.tif 000005
【図４】
2017206838.tif 000006